(57)【要約】【課題】自由な形状に曲がって様々な箇所に設置することができ、把持しやすい把持部材を提供すること。【解決手段】可撓性を有する筒体１より成り、筒体１にその周方向に沿う多数の補強リブ２を並設すると共に、指を挿入可能な軸方向に沿う切れ目３を全長に亘って形成してある。筒体１は、一部に切れ目３を形成した楕円弧状の断面を有することがある。筒体１を二重に重ね、その外周面を表カバーで被覆すると共に、内周面を裏カバーで被覆し、表カバー５及び裏カバー６の端部を重ねた筒体１の間に挿入して固定しても良い。【選択図】図１
2010162134.tif 000002
【特許請求の範囲】
【請求項１】
可撓性を有する筒体より成り、該筒体にその周方向に沿う多数の補強リブを並設すると共に、指を挿入可能な軸方向に沿う切れ目を全長に亘って形成してあることを特徴とした把持部材。
【請求項２】
前記筒体は、一部に切れ目を形成した楕円弧状の断面を有する請求項１に記載の把持部材。
【請求項３】
前記筒体の外周面を表カバーで被覆すると共に、内周面を裏カバーで被覆してある請求項１又は２に記載の把持部材。
【請求項４】
請求項１又は２の筒体を二重に重ね、その外周面を表カバーで被覆すると共に、内周面を裏カバーで被覆し、該表カバー及び裏カバーの端部を重ねた筒体の間に挿入して固定してあることを特徴とした把持部材。
【発明の詳細な説明】
【技術分野】
【０００１】
本発明は、手すりや取っ手として用いたり、椅子の座部周縁等に配置するのに好適な把持部材に関する。
【背景技術】
【０００２】
従来、座部の周縁に沿って棒材を配置した椅子が知られている（例えば、特許文献１参照）。この棒材は座部を支持するものであるが、脚の弱った高齢者や身体の不自由な人が椅子に座ったり椅子から立ち上がる際には、これを手すりのように掴んで身体を支えることがある。
しかし、座部を支持する棒材にはクッション材を被せてあるので、把持した時にクッション材が滑って危険であり、把持を繰り返すとクッション材の周囲部がちぎれて、椅子自体の耐久性が低下してしまう。
【０００３】
また、本出願人は、先に、椅子の座部上面に配置された座面シートの周縁を外方へはりだして、その先端を下方へ屈曲して形成した把持体を提案した（特許文献２参照）。
この把持体は、下方の開口部へ指先を挿入し、クッション材とは独立して握ることができるので、安定性が高く、クッション材も劣化しない。
しかし、座面シートと一体に形成されているため全く保形性が無く、把持する部分が扁平なので、しっかり握るためにはある程度の握力を必要とする。
【先行技術文献】
【特許文献】
【０００４】
【特許文献１】特開平１０−１１３２４６号公報
【特許文献２】特許第４０３０４０４号公報
【発明の概要】
【発明が解決しようとする課題】
【０００５】
本発明が解決しようとする課題は、自由な形状に曲がって様々な箇所に設置することができ、把持しやすい把持部材を提供することにある。
【課題を解決するための手段】
【０００６】
本発明の把持部材は、可撓性を有する筒体より成り、該筒体にその周方向に沿う多数の補強リブを並設すると共に、指を挿入可能な軸方向に沿う切れ目を全長に亘って形成してある。
前記筒体は、一部に切れ目を形成した円形又は楕円形の断面を有すると良い。
前記筒体の外周面を表カバーで被覆すると共に、内周面を裏カバーで被覆することがある。
筒体を二重に重ね、その外周面を表カバーで被覆すると共に、内周面を裏カバーで被覆し、該表カバー及び裏カバーの端部を重ねた筒体の間に挿入して固定しても良い。
【発明の効果】
【０００７】
請求項１に係る発明によれば、可撓性を有して様々な方向に屈曲するので、椅子の座面やベッドマット等の不定形で変形する物体に装着して、身体障害者や高齢者の身動きを助けることができ、可撓性があるため、身体に当たった時に不快感を与え難い。
また、切れ目に指を掛けて外面を掌で握ることにより確実に把持することが可能であり、しかも、補強リブを設けてあるため筒体の断面が変形し難く、切れ目の部分から開いてしまう心配がない。
【０００８】
請求項２に係る発明によれば、断面が掌に馴染んだ形状で把持しやすい。
請求項３に係る発明によれば、手触りが柔らかくなるばかりか、デザイン的にも優れたものとなる。
請求項４に係る発明によれば、筒体を二重にしてあるため強度が増し、表カバーと裏カバーの端部どうしを縫い合わせる必要が無く、カバー端部が外面に現れないので仕上がりが美しい。
【図面の簡単な説明】
【０００９】
【図１】本発明の実施例を示す把持部材の斜視図
【図２】本発明の実施例を示す把持部材の側面図
【図３】本発明の実施例を示す把持部材の縦断面図
【図４】本発明の実施例を示す把持部材の端面図
【図５】本発明の把持部材を搭載した椅子の斜視図
【図６】本発明の把持部材の使用状態を示す斜視図
【図７】本発明の把持部材を搭載した椅子の要部断面図
【発明を実施するための形態】
【００１０】
以下本発明を詳細に説明する。
本発明の把持部材は、図１及び図２に示すように、可撓性を有する筒体１より成る。
筒体１は、図３に示すように、２枚の合成樹脂シート１ａ、１ｂを重ね合わせるとともに、２枚の合成樹脂シート１ａ、１ｂの間に周方向に沿う細いパイプ２ａを多数配置して形成される。パイプ２ａを設置したことにより、筒体１の外周面には周方向に沿う多数の補強リブ２が適宜間隔ごとに形成される（図１、図２）。
また、筒体１には、指を挿入可能な軸方向に沿う切れ目３を全長に亘って形成してあり、図４に示すように、筒体１は、一部に切れ目３を形成した弧状或いは楕円弧状の断面を有する。なお、筒体１の直径は、握りやすいように３０〜５０ｍｍとする。
【００１１】
この把持部材は、切れ目３に指先を挿入して筒体１を掌で握ることにより、確実に把持することができ、補強リブ２を設けてあるため、握って力を加えても筒体１の断面が大きく広がる心配がない。
また、様々な方向に屈曲させることができるので、図５及び図６に示すように、椅子４の座部４ａの周縁、ベッドマットの周縁等の不定形で変形する物体に取り付け立ち上がったり座ったりする際に身体を支えるのに適している。
この場合、筒体１の外周面及び内周面を、それぞれ布、合成樹脂シート等より成る表カバーと裏カバーで被覆すると、手触りがよく、外観も美しい。
【００１２】
図７には、椅子４の座部４ａの周縁に配設した把持部材の実施態様をを示す。
上記した筒体１を二重に重ねて互いに固定し、座部４ａの外周縁に沿って、切れ目３が下を向くように配置する。
そして、重ねた筒体１の外周面を座部４ａの上面から延びる表カバー５で被覆すると共に、内周面を椅子４の側面から立ち上がった裏カバー６で被覆する。
表カバー５及び裏カバー６の端部は重ねた筒体１の間に挿入し、上に重ねた筒体１の内周面（平滑な面）に接着剤で固定する。
従って、表カバー５及び裏カバー６の端部は外部に露出せず、表カバー５と裏カバー６の端部どうしを縫い合わせる手間も省ける。
【符号の説明】
【００１３】
１  筒体
１ａ、１ｂ  合成樹脂シート
２  補強リブ
２ａ  パイプ
３  切れ目
４  椅子
４ａ  座部
４ｂ  重ねた筒体の端部拡大図
５  表カバー
６  裏カバー
【図１】
2010162134.tif 000003
【図２】
2010162134.tif 000004
【図３】
2010162134.tif 000005
【図４】
2010162134.tif 000006
【図５】
2010162134.tif 000007
【図６】
2010162134.tif 000008
【図７】
2010162134.tif 000009
【手続補正書】
【提出日】平成21年12月9日(2009.12.9)
【手続補正１】
【補正対象書類名】明細書
【補正対象項目名】全文
【補正方法】変更
【補正の内容】
【発明の詳細な説明】
【技術分野】
【０００１】
本発明は、周縁に把持部材を配置した椅子の座部、ベッドマット等の変形する物体に関する。
【背景技術】
【０００２】
従来、座部の周縁に沿って棒材を配置した椅子が知られている（例えば、特許文献１参照）。この棒材は座部を支持するものであるが、脚の弱った高齢者や身体の不自由な人が椅子に座ったり椅子から立ち上がる際には、これを手すりのように掴んで身体を支えることがある。
しかし、座部を支持する棒材にはクッション材を被せてあるので、把持した時にクッション材が滑って危険であり、把持を繰り返すとクッション材の周囲部がちぎれて、椅子自体の耐久性が低下してしまう。
【０００３】
また、本出願人は、先に、椅子の座部上面に配置された座面シートの周縁を外方へはりだして、その先端を下方へ屈曲して形成した把持体を提案した（特許文献２参照）。
この把持体は、下方の開口部へ指先を挿入し、クッション材とは独立して握ることができるので、安定性が高く、クッション材も劣化しない。
しかし、座面シートと一体に形成されているため全く保形性が無く、把持する部分が扁平なので、しっかり握るためにはある程度の握力を必要とする。
【先行技術文献】
【特許文献】
【０００４】
【特許文献１】特開平１０−１１３２４６号公報
【特許文献２】特許第４０３０４０４号公報
【発明の概要】
【発明が解決しようとする課題】
【０００５】
本発明が解決しようとする課題は、自由な形状に曲がり、把持しやすい把持部材を周縁に取り付けた変形する物体を提供することにある。
【課題を解決するための手段】
【０００６】
本発明の変形する物体は、可撓性を有し、周方向に沿う多数の補強リブを並設すると共に、指を挿入可能な軸方向に沿う切れ目を全長に亘って形成して成る筒体を二重に重ね、前記重ねた筒体の外周面を表カバーで被覆すると共に、内周面を裏カバーで被覆し、該表カバー及び裏カバーの端部を重ねた筒体の間に挿入して固定して成る把持部材を、周縁に取り付けてある。
前記筒体は、一部に切れ目を形成した円形又は楕円形の断面を有すると良い。
【発明の効果】
【０００７】
請求項１に係る発明によれば、可撓性を有して様々な方向に屈曲する筒体を周縁に装着してあるので、身体障害者や高齢者の身動きを助けることができ、可撓性があるため、身体に当たった時に不快感を与え難い。
また、筒体の切れ目に指を掛けて外面を掌で握ることにより確実に把持することが可能であり、しかも、補強リブを設けてあるため筒体の断面が変形し難く、切れ目の部分から開いてしまう心配がない。
【０００８】
さらに、筒体の外周面及び内周面をそれぞれ表カバーと裏カバーとで被覆してあるので、手触りが柔らかくなるばかりか、デザイン的にも優れたものとなり、筒体を二重にしてあるため強度が増し、表カバーと裏カバーの端部どうしを縫い合わせる必要が無く、カバー端部が外面に現れないので仕上がりが美しい。
請求項２に係る発明によれば、断面が掌に馴染んだ形状で把持しやすい。
【図面の簡単な説明】
【０００９】
【図１】本発明の実施例に係る筒体の斜視図
【図２】本発明の実施例に係る筒体の側面図
【図３】本発明の実施例に係る筒体の縦断面図
【図４】本発明の実施例に係る筒体の端面図
【図５】本発明の実施例に係る椅子の斜視図
【図６】本発明の実施例に係る椅子の使用状態を示す斜視図
【図７】本発明の実施例を示す椅子の要部断面図
【発明を実施するための形態】
【００１０】
以下本発明を詳細に説明する。
本発明の実施例に係る把持部材を形成する筒体１は、図１及び図２に示すように、可撓性を有し、指を挿入可能な軸方向に沿う切れ目３を全長に亘って形成してあり、図４に示すように、一部に切れ目３を形成した弧状或いは楕円弧状の断面を有する。
筒体１は、図３に示すように、２枚の合成樹脂シート１ａ、１ｂを重ね合わせるとともに、２枚の合成樹脂シート１ａ、１ｂの間に周方向に沿う細いパイプ２ａを多数配置して形成される。パイプ２ａを設置したことにより、筒体１の外周面には周方向に沿う多数の補強リブ２が適宜間隔ごとに形成される（図１、図２）。
なお、筒体１の直径は、握りやすいように３０〜５０ｍｍとする。
【００１１】
この筒体１は、切れ目３に指先を挿入して掌で握ることにより、確実に把持することができ、補強リブ２を設けてあるため、握って力を加えても筒体１の断面が大きく広がる心配がない。
また、様々な方向に屈曲させることができるので、図５及び図６に示すように、椅子４の座部４ａの周縁、ベッドマットの周縁等の不定形で変形する物体に取り付けられ、立ち上がったり座ったりする際に身体を支えるのに用いられる。
【００１２】
そして、図７に示すように、筒体１を二重に重ねて互いに固定し、変形する物体、例えば、椅子４の座部４ａの外周縁に沿って、切れ目３が下を向くように配置する。
また、重ねた筒体１の外周面を座部４ａの上面から延びる表カバー５で被覆すると共に、内周面を椅子４の側面から立ち上がった裏カバー６で被覆する。このため、手触りがよく、外観も美しい。
さらに、表カバー５及び裏カバー６の端部は重ねた筒体１の間に挿入し、上に重ねた筒体１の内周面（平滑な面）に接着剤で固定する。
従って、表カバー５及び裏カバー６の端部は外部に露出せず、表カバー５と裏カバー６の端部どうしを縫い合わせる手間も省ける。
【符号の説明】
【００１３】
１  筒体
１ａ、１ｂ  合成樹脂シート
２  補強リブ
２ａ  パイプ
３  切れ目
４  椅子
４ａ  座部
４ｂ  重ねた筒体の端部拡大図
５  表カバー
６  裏カバー
【手続補正２】
【補正対象書類名】特許請求の範囲
【補正対象項目名】全文
【補正方法】変更
【補正の内容】
【特許請求の範囲】
【請求項１】
可撓性を有し、周方向に沿う多数の補強リブを並設すると共に、指を挿入可能な軸方向に沿う切れ目を全長に亘って形成して成る筒体を二重に重ね、前記重ねた筒体の外周面を表カバーで被覆すると共に、内周面を裏カバーで被覆し、該表カバー及び裏カバーの端部を重ねた筒体の間に挿入して固定して成る把持部材を、周縁に取り付けてあることを特徴とした変形する物体。
【請求項２】
前記筒体は、一部に切れ目を形成した楕円弧状の断面を有する請求項１に記載の変形する物体。
【手続補正３】
【補正対象書類名】図面
【補正対象項目名】図５
【補正方法】変更
【補正の内容】
【図５】
2010162134.tif 000010
【手続補正書】
【提出日】平成22年3月2日(2010.3.2)
【手続補正１】
【補正対象書類名】明細書
【補正対象項目名】全文
【補正方法】変更
【補正の内容】
【発明の詳細な説明】
【技術分野】
【０００１】
本発明は、座部の周縁に把持部材を配置した椅子に関する。
【背景技術】
【０００２】
従来、座部の周縁に沿って棒材を配置した椅子が知られている（例えば、特許文献１参照）。この棒材は座部を支持するものであるが、脚の弱った高齢者や身体の不自由な人が椅子に座ったり椅子から立ち上がる際には、これを手すりのように掴んで身体を支えることがある。
しかし、座部を支持する棒材にはクッション材を被せてあるので、把持した時にクッション材が滑って危険であり、把持を繰り返すとクッション材の周囲部がちぎれて、椅子自体の耐久性が低下してしまう。
【０００３】
また、本出願人は、先に、椅子の座部上面に配置された座面シートの周縁を外方へはりだして、その先端を下方へ屈曲して形成した把持体を提案した（特許文献２参照）。
この把持体は、下方の開口部へ指先を挿入し、クッション材とは独立して握ることができるので、安定性が高く、クッション材も劣化しない。
しかし、座面シートと一体に形成されているため全く保形性が無く、把持する部分が扁平なので、しっかり握るためにはある程度の握力を必要とする。
【先行技術文献】
【特許文献】
【０００４】
【特許文献１】特開平１０−１１３２４６号公報
【特許文献２】特許第４０３０４０４号公報
【発明の概要】
【発明が解決しようとする課題】
【０００５】
本発明が解決しようとする課題は、自由な形状に曲がり、把持しやすい把持部材を座部の周縁に取り付けた椅子を提供することにある。
【課題を解決するための手段】
【０００６】
本発明の椅子は、座部の周縁に把持部材を取り付けて成り、該把持部材は、可撓性を有し、周方向に沿う多数の補強リブを並設すると共に、指を挿入可能な軸方向に沿う切れ目を全長に亘って形成して成る筒体を二重に重ね、前記重ねた筒体の外周面を前記座部の上面から延びる表カバーで被覆すると共に、内周面を前記座部の側面から立ち上がった裏カバーで被覆し、該表カバー及び裏カバーの端部を重ねた筒体の間に挿入して固定して形成されている。
前記筒体は、一部に切れ目を形成した円形又は楕円形の断面を有すると良い。
【発明の効果】
【０００７】
請求項１に係る発明によれば、可撓性を有して様々な方向に屈曲する筒体を周縁に装着してあるので、身体障害者や高齢者の身動きを助けることができ、可撓性があるため、身体に当たった時に不快感を与え難い。
また、筒体の切れ目に指を掛けて外面を掌で握ることにより確実に把持することが可能であり、しかも、補強リブを設けてあるため筒体の断面が変形し難く、切れ目の部分から開いてしまう心配がない。
【０００８】
さらに、筒体の外周面及び内周面をそれぞれ表カバーと裏カバーとで被覆してあるので、手触りが柔らかくなるばかりか、デザイン的にも優れたものとなり、筒体を二重にしてあるため強度が増し、表カバーと裏カバーの端部どうしを縫い合わせる必要が無く、カバー端部が外面に現れないので仕上がりが美しい。
請求項２に係る発明によれば、断面が掌に馴染んだ形状で把持しやすい。
【図面の簡単な説明】
【０００９】
【図１】本発明の実施例に係る筒体の斜視図
【図２】本発明の実施例に係る筒体の側面図
【図３】本発明の実施例に係る筒体の縦断面図
【図４】本発明の実施例に係る筒体の端面図
【図５】本発明の実施例に係る椅子の斜視図
【図６】本発明の実施例を示す椅子の要部斜視図
【図７】本発明の実施例を示す椅子の要部断面図
【発明を実施するための形態】
【００１０】
以下本発明を詳細に説明する。
本発明の実施例に係る把持部材を形成する筒体１は、図１及び図２に示すように、可撓性を有し、指を挿入可能な軸方向に沿う切れ目３を全長に亘って形成してあり、図４に示すように、一部に切れ目３を形成した弧状或いは楕円弧状の断面を有する。
筒体１は、図３に示すように、２枚の合成樹脂シート１ａ、１ｂを重ね合わせるとともに、２枚の合成樹脂シート１ａ、１ｂの間に周方向に沿う細いパイプ２ａを多数配置して形成される。パイプ２ａを設置したことにより、筒体１の外周面には周方向に沿う多数の補強リブ２が適宜間隔ごとに形成される（図１、図２）。
なお、筒体１の直径は、握りやすいように３０〜５０ｍｍとする。
【００１１】
この筒体１は、切れ目３に指先を挿入して掌で握ることにより、確実に把持することができ、補強リブ２を設けてあるため、握って力を加えても筒体１の断面が大きく広がる心配がない。
また、様々な方向に屈曲させることができるので、図５及び図６に示すように、椅子４の座部４ａの周縁に取り付けられ、立ち上がったり座ったりする際に身体を支えるのに用いられる。
【００１２】
そして、図７に示すように、筒体１を二重に重ねて互いに固定し、椅子４の座部４ａの外周縁に沿って、切れ目３が下を向くように配置する。
また、重ねた筒体１の外周面を座部４ａの上面から延びる表カバー５で被覆すると共に、内周面を椅子４の側面から立ち上がった裏カバー６で被覆する。このため、手触りがよく、外観も美しい。
さらに、表カバー５及び裏カバー６の端部は重ねた筒体１の間に挿入し、上に重ねた筒体１の内周面（平滑な面）に接着剤で固定する。
従って、表カバー５及び裏カバー６の端部は外部に露出せず、表カバー５と裏カバー６の端部どうしを縫い合わせる手間も省ける。
なお、この把持部材はベッドマットの周縁にも配置することができる。
【符号の説明】
【００１３】
１  筒体
１ａ、１ｂ  合成樹脂シート
２  補強リブ
２ａ  パイプ
３  切れ目
４  椅子
４ａ  座部
４ｂ  重ねた筒体の端部拡大図
５  表カバー
６  裏カバー
【手続補正２】
【補正対象書類名】特許請求の範囲
【補正対象項目名】全文
【補正方法】変更
【補正の内容】
【特許請求の範囲】
【請求項１】
座部の周縁に把持部材を取り付けて成り、該把持部材は、可撓性を有し、周方向に沿う多数の補強リブを並設すると共に、指を挿入可能な軸方向に沿う切れ目を全長に亘って形成して成る筒体を二重に重ね、前記重ねた筒体の外周面を前記座部の上面から延びる表カバーで被覆すると共に、内周面を前記座部の側面から立ち上がった裏カバーで被覆し、該表カバー及び裏カバーの端部を重ねた筒体の間に挿入して固定して形成されていることを特徴とした椅子。
【請求項２】
前記筒体は、一部に切れ目を形成した楕円弧状の断面を有する請求項１に記載の椅子。